【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
メディアデバイスの検出可能範囲内のユーザを検出する方法であって、該方法は、
検出メカニズムを有する該メディアデバイスを提供することであって、該検出メカニズムは、該メディアデバイスに関する第１の検出可能範囲内のユーザを検出するように動作可能である、ことと、
第１のユーザに関連付けられた第１の検出領域を画定することであって、該第１の検出領域は、該第１の検出可能範囲内にあり、該第１の検出領域は、該第１の検出可能範囲よりも小さい、ことと、
該第１の検出領域のパラメータを記憶することと、
該第１のユーザが該第１の検出可能範囲および該第１の検出領域内にいるか否かを決定することと、
該第１のユーザが該第１の検出領域内にいることを決定した後に、該メディアデバイスを起動することと、
該第１のユーザが該第１の検出領域内にいる場合、該第１のユーザに関連付けられた第１の設定を該メディアデバイスに適用することと、
該第１の設定に基づいて第１のメディアコンテンツを提供することと、
該第１のユーザが該第１の検出領域外および該第１の検出可能範囲内にいる場合、該メディアデバイスへの該第１の設定の適用を停止することと
を含む、方法。
【請求項２】
前記第１のユーザが前記第１の検出領域外にいる場合、前記第１のメディアコンテンツの提供を停止することをさらに含む、請求項１に記載の方法。
【請求項３】
前記第１の検出可能範囲内の第２のユーザを検出することと、
該第２のユーザが前記第１の検出領域内にいないことを決定することと、
前記メディアデバイスに提供された前記第１のメディアコンテンツを維持することと
をさらに含む、請求項１に記載の方法。
【請求項４】
第２のユーザが前記第１の検出領域内にいることを決定することと、
該第２のユーザが前記メディアデバイスへアクセスするための十分なアクセスレベルに関連付けられているか否かを決定することと、
該第２のユーザが該メディアデバイスへアクセスするための該十分なアクセスレベルに関連付けられている場合に、該第２のユーザに関連付けられた第２の設定を該メディアデバイスに適用することと、
該第２のユーザが該メディアデバイスへアクセスするための該十分なアクセスレベルに関連付けられていない場合に、該メディアデバイスへのアクセスを制限することと
をさらに含む、請求項１に記載の方法。
【請求項５】
前記第１の検出領域内の第２のユーザを検出することと、
該第２のユーザが該第１の検出領域内にいる場合に、該第２のユーザに関連付けられた第２の設定を前記メディアデバイスに適用することと
をさらに含む、請求項１に記載の方法。
【請求項６】
以前に前記第２のユーザによってアクセスされた第２のメディアコンテンツを再開するためのオプションを提供することをさらに含む、請求項５に記載の方法。
【請求項７】
前記第１のユーザと前記第２のユーザとが同時に前記第１の検出領域内にいる場合に、前記第１の設定および前記第２の設定に基づいて、第３の設定を作成することと、
該第３の設定に基づいて第２のメディアコンテンツを提供することと
をさらに含む、請求項５に記載の方法。
【請求項８】
前記提供された第２のメディアコンテンツは、前記第３の設定に基づいて標的化される標的化広告である、請求項７に記載の方法。
【請求項９】
前記第１のユーザがもはや前記第１の検出領域内にいないことを決定することと、
前記第３の設定が該第１の検出可能範囲内の検出領域内に残るユーザに関連付けられた設定のみに基づくように、該第３の設定を修正することと
をさらに含む、請求項７に記載の方法。
【請求項１０】
前記修正された第３の設定に基づいて、第３のメディアコンテンツを提供することをさらに含む、請求項９に記載の方法。
【請求項１１】
前記第３のメディアコンテンツのプロパティは、前記第１のユーザに関連付けられた前記第１の設定とコンフリクトする、請求項１０に記載の方法。
【請求項１２】
前記第１のユーザが前記メディアデバイスの前記第１の検出領域内に戻ったことを決定することと、
該第１のユーザが戻ったことの決定に応じて、前記第３のメディアコンテンツを再び前記第２のメディアコンテンツに変更することと、
実質的に該第１のユーザがもはや該第１の検出領域内にいないことが決定された、該第２のメディアコンテンツ内のポイントから、該第２のメディアコンテンツを再開することと
をさらに含む、請求項１０に記載の方法。
【請求項１３】
前記第１のユーザがもはや前記第１の検出領域内にいないことの検出に応じて、前記第２のメディアコンテンツを休止することをさらに含む、請求項９に記載の方法。
【請求項１４】
前記第１のユーザが前記メディアデバイスの前記第１の検出領域内に戻ったことを決定することと、
該第１のユーザが戻ったことの決定に応じて、前記第２のメディアコンテンツの休止を解除することと
をさらに含む、請求項１３に記載の方法。
【請求項１５】
前記第１のユーザが前記メディアデバイスの前記第１の検出領域内に戻ったことを決定することと、
前記第２のメディアコンテンツを、実質的に該第１のユーザがもはや該第１の検出領域内にいないことが決定された、該第２のメディアコンテンツ内のポイントに巻き戻すことと
をさらに含む、請求項９に記載の方法。
【請求項１６】
前記メディアデバイスが第１のメディアデバイスであり、前記方法は、
前記第１のユーザが第２の検出領域内にいることを決定することであって、該第２の検出領域は、第２のメディアデバイスに関する第２の検出可能範囲内にある、ことと、
実質的に該第１のユーザがもはや前記第１の検出領域内にいないことが決定された、前記第２のメディアコンテンツ内のポイントから、該第２のメディアデバイスに該第２のメディアコンテンツを提供することと
をさらに含む、請求項９に記載の方法。
【請求項１７】
前記第１のメディアデバイスに、前記第１のユーザが前記第２の検出領域内にいることを伝達することをさらに含む、請求項１６に記載の方法。
【請求項１８】
以前に前記第１の検出可能範囲内の検出領域内にいた全てのユーザが、もはや該第１の検出可能範囲内の該検出領域内にいないことを決定することと、
所定期間後に前記メディアデバイスを停止することと
をさらに含む、請求項７に記載の方法。
【請求項１９】
前記第１のユーザが前記第１の検出可能範囲および前記第１の検出領域内にいるか否かを決定することは、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、請求項１に記載の方法。
【請求項２０】
前記第１の検出領域は、承認ユーザによって手動で構成される、請求項１に記載の方法。
【請求項２１】
前記第１の検出可能範囲が異なるメディアデバイスに関する第２の検出可能範囲と重複するか否かを決定すること、および
境界が前記第２の検出可能範囲内にないように、該第１の検出可能範囲内の前記第１の検出領域の境界を設定すること
によって、該第１の検出領域の境界を構成することをさらに含む、請求項１に記載の方法。
【請求項２２】
第２のユーザに関連付けられた第２の検出領域を記憶することであって、該第２の検出領域は、前記第１の検出可能範囲内にある、ことと、
該第２のユーザが該第１の検出可能範囲および該第２の検出領域の両方の内部にあるか否かを決定することと、
該第２のユーザが該第２の検出領域内にある場合、該第２のユーザに関連付けられた第２の設定を、前記メディアデバイスに適用することと
をさらに含む、請求項１に記載の方法。
【請求項２３】
前記第１の検出領域は、前記第２の検出領域とは異なる、請求項２２に記載の方法。
【請求項２４】
メディアデバイスの検出可能範囲内のユーザを検出する装置であって、該装置は、
検出メカニズムを有する該メディアデバイスを提供する手段であって、該検出メカニズムは、該メディアデバイスに関する第１の検出可能範囲内のユーザを検出するように動作可能である、手段と、
第１のユーザに関連付けられた第１の検出領域を画定する手段であって、該第１の検出領域は、該第１の検出可能範囲内にあり、該第１の検出領域は、該第１の検出可能範囲よりも小さい、手段と、
該第１の検出領域のパラメータを記憶する手段と、
該第１のユーザが該第１の検出可能範囲および該第１の検出領域内にいるか否かを決定する手段と、
該第１のユーザが該第１の検出領域内にいることを決定した後に、該メディアデバイスを起動する手段と、
該第１のユーザが該第１の検出領域内にいる場合に、該第１のユーザに関連付けられた第１の設定を、該メディアデバイスに適用する手段と、
該第１の設定に基づいて、第１のメディアコンテンツを提供する手段と、
該第１のユーザが該第１の検出領域外および該第１の検出可能範囲内にいる場合に、該メディアデバイスへの該第１の設定の適用を停止する手段と
を備える、装置。
【請求項２５】
前記第１のユーザが前記第１の検出領域外にいる場合、前記第１のメディアコンテンツの提供を停止する手段をさらに備える、請求項２４に記載の装置。
【請求項２６】
前記第１の検出可能範囲内の第２のユーザを検出する手段と、
該第２のユーザが前記第１の検出領域内にいないことを決定する手段と、
前記メディアデバイスに提供される前記第１のメディアコンテンツを維持する手段と
をさらに備える、請求項２４に記載の装置。
【請求項２７】
第２のユーザが前記第１の検出領域内にいることを決定する手段と、
該第２のユーザが前記メディアデバイスへアクセスするための十分なアクセスレベルに関連付けられているか否かを決定する手段と、
該第２のユーザが該メディアデバイスへアクセスするための該十分なアクセスレベルに関連付けられている場合に、該第２のユーザに関連付けられた第２の設定を該メディアデバイスに適用する手段と、
該第２のユーザが該メディアデバイスへアクセスするための該十分なアクセスレベルに関連付けられていない場合に、該メディアデバイスへのアクセスを制限する手段と
をさらに備える、請求項２４に記載の装置。
【請求項２８】
前記第１の検出領域内の第２のユーザを検出する手段と、
該第２のユーザが該第１の検出領域内にいる場合に、該第２のユーザに関連付けられた第２の設定を前記メディアデバイスに適用する手段と
をさらに備える、請求項２４に記載の装置。
【請求項２９】
以前に前記第２のユーザによってアクセスされた第２のメディアコンテンツを再開するためのオプションを提供する手段をさらに備える、請求項２８に記載の装置。
【請求項３０】
前記第１のユーザと前記第２のユーザとが同時に前記第１の検出領域内にいる場合に、前記第１の設定および前記第２の設定に基づいて第３の設定を作成する手段と、
該第３の設定に基づいて第２のメディアコンテンツを提供する手段と
をさらに備える、請求項２８に記載の装置。
【請求項３１】
前記提供された第２のメディアコンテンツは、前記第３の設定に基づいて標的化される標的化広告である、請求項３０に記載の装置。
【請求項３２】
前記第１のユーザがもはや前記第１の検出領域内にいないことを決定する手段と、
前記第３の設定が、該第１の検出可能範囲内の検出領域内に残るユーザに関連付けられた設定のみに基づくように、該第３の設定を修正する手段と
をさらに備える、請求項３０に記載の装置。
【請求項３３】
前記修正された第３の設定に基づいて、第３のメディアコンテンツを提供する手段をさらに備える、請求項３２に記載の装置。
【請求項３４】
前記第３のメディアコンテンツのプロパティは、前記第１のユーザに関連付けられた前記第１の設定とコンフリクトする、請求項３３に記載の装置。
【請求項３５】
前記第１のユーザが前記メディアデバイスの前記第１の検出領域内に戻ったことを決定する手段と、
該第１のユーザが戻ったことの決定に応じて、前記第３のメディアコンテンツを再び前記第２のメディアコンテンツに変更する手段と、
実質的に該第１のユーザがもはや該第１の検出領域内にいないことが決定された、該第２のメディアコンテンツ内のポイントから、該第２のメディアコンテンツを再開する手段と
をさらに備える、請求項３３に記載の装置。
【請求項３６】
前記第１のユーザがもはや前記第１の検出領域内にいないことの検出に応じて、前記第２のメディアコンテンツを休止する手段をさらに備える、請求項３２に記載の装置。
【請求項３７】
前記第１のユーザが前記メディアデバイスの前記第１の検出領域内に戻ったことを決定する手段と、
該第１のユーザが戻ったことの決定に応じて、前記第２のメディアコンテンツの休止を解除する手段と
をさらに備える、請求項３６に記載の装置。
【請求項３８】
前記第１のユーザが前記メディアデバイスの前記第１の検出領域内に戻ったことを決定する手段と、
前記第２のメディアコンテンツを、実質的に該第１のユーザがもはや該第１の検出領域内にいないことが決定された、該第２のメディアコンテンツ内のポイントに巻き戻す手段と
をさらに備える、請求項３２に記載の装置。
【請求項３９】
前記メディアデバイスは、第１のメディアデバイスであり、前記装置は、
前記第１のユーザが第２の検出領域内にいることを決定する手段であって、該第２の検出領域は、第２のメディアデバイスに対して第２の検出可能範囲内にある、手段と、
実質的に該第１のユーザがもはや前記第１の検出領域内にいないことが決定された、前記第２のメディアコンテンツ内のポイントから、該第２のメディアデバイスに該第２のメディアコンテンツを提供する手段と
をさらに備える、請求項３２に記載の装置。
【請求項４０】
前記第１のメディアデバイスに、前記第１のユーザが前記第２の検出領域内にいることを伝達する手段をさらに含む、請求項３９に記載の装置。
【請求項４１】
以前に前記第１の検出可能範囲内の検出領域内にいた全てのユーザが、もはや該第１の検出可能範囲内の該検出領域内にいないことを決定する手段と、
所定期間後に前記メディアデバイスを停止する手段と
をさらに備える、請求項３０に記載の装置。
【請求項４２】
前記第１のユーザが前記第１の検出可能範囲および前記第１の検出領域内にいるか否かを決定する手段は、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、請求項２４に記載の装置。
【請求項４３】
前記第１の検出領域は、承認ユーザによって手動で構成される、請求項２４に記載の装置。
【請求項４４】
前記第１の検出可能範囲が異なるメディアデバイスに関する第２の検出可能範囲と重複するか否かを決定することと、
境界が該第２の検出可能範囲内にないように、該第１の検出可能範囲内の前記第１の検出領域の境界を設定することと
によって、該第１の検出領域の境界を構成する手段をさらに含む、請求項２４に記載の装置。
【請求項４５】
第２のユーザに関連付けられた第２の検出領域を記憶する手段であって、該第２の検出領域は、前記第１の検出可能範囲内にある、手段と、
該第２のユーザが該第１の検出可能範囲および該第２の検出領域の両方の内部にあるか否かを決定する手段と、
該第２のユーザが該第２の検出領域内にある場合に、該第２のユーザに関連付けられた第２の設定を前記メディアデバイスに適用する手段と
をさらに備える、請求項２４に記載の装置。
【請求項４６】
前記第１の検出領域は、前記第２の検出領域とは異なる、請求項４５に記載の装置。
【手続補正２】
【補正対象書類名】明細書
【補正対象項目名】００１１
【補正方法】変更
【補正の内容】
【００１１】
いくつかの実施形態において、メディアデバイスの範囲内のユーザの１人以上にリマインダが提供され得る。例えば、メディアデバイスは、メディアデバイスに関連付けられた検出領域内の複数のユーザを検出し得る。複数のユーザは、メディアデバイスにログインされ、検出領域内に検出された場合アクティブユーザとみなされる。第１のメディアコンテンツがアクティブユーザに提供され得る。アクティブユーザに第２のメディアコンテンツに関してリマインドするように、複数のユーザの第１および第２のユーザに関連付けられたリマインダが提供され得る。リマインダは、複数のユーザの一部または全てが、おそらくリマインドされたコンテンツを好むかまたは好まないかを示す標示を備えてもよい。
本願明細書は、例えば、以下の項目も提供する。
（項目１）
メディアデバイスの検出可能範囲内のユーザを検出する方法であって、該方法は、
検出メカニズムを有する該メディアデバイスを提供することであって、該検出メカニズムは、該メディアデバイスに関する第１の検出可能範囲内のユーザを検出するように動作可能である、ことと、
第１のユーザに関連付けられた第１の検出領域を画定することであって、該第１の検出領域は、該第１の検出可能範囲内にあり、該第１の検出領域は、該第１の検出可能範囲よりも小さい、ことと、
該第１の検出領域のパラメータを格納することと、
該第１のユーザが該第１の検出可能範囲および該第１の検出領域内にいるか否かを決定することと、
該第１のユーザが該第１の検出領域内にいることを決定した後に、該メディアデバイスを起動することと、
該第１のユーザが該第１の検出領域内にいる場合、該第１のユーザに関連付けられた第１の設定を該メディアデバイスに適用することと、
第１の設定に基づいて第１のメディアコンテンツを提供することと、
該第１のユーザが該第１の検出領域外および該第１の検出可能範囲内にいる場合、該メディアデバイスへの該第１の設定の適用を停止することと
を含む、方法。
（項目２）
前記第１のユーザが前記第１の検出領域外にいる場合、前記第１のメディアコンテンツの提供を停止することをさらに含む、項目１に記載の方法。
（項目３）
前記第１の検出可能範囲内の第２のユーザを検出することと、
該第２のユーザが前記第１の検出領域内にいないことを決定することと、
前記メディアデバイスに提供された前記第１のメディアコンテンツを維持することと
をさらに含む、項目１に記載の方法。
（項目４）
第２のユーザが前記第１の検出領域内にいることを決定することと、
該第２のユーザが前記メディアデバイスへアクセスするための十分なアクセスレベルに関連付けられているか否かを決定することと、
該第２のユーザが該メディアデバイスへアクセスするための該十分なアクセスレベルに関連付けられている場合に、該第２のユーザに関連付けられた第２の設定を該メディアデバイスに適用することと、
該第２のユーザが該メディアデバイスへの該十分なアクセスレベルに関連付けられていない場合に、該メディアデバイスへのアクセスを制限することと
をさらに含む、項目１に記載の方法。
（項目５）
前記第１の検出領域内の第２のユーザを検出することと、
該第２のユーザが該第１の検出領域内にいる場合に、該第２のユーザに関連付けられた第２の設定を前記メディアデバイスに適用することと
をさらに含む、項目１に記載の方法。
（項目６）
以前に前記第２のユーザによってアクセスされた第２のメディアコンテンツを再開するための部分を提供することをさらに含む、項目５に記載の方法。
（項目７）
前記第１のユーザと前記第２のユーザとが同時に前記第１の検出領域内にいる場合に、前記第１の設定および前記第２の設定に基づいて、第３の設定を作成することと、
該第３の設定に基づいて第２のメディアコンテンツを提供することと
をさらに含む、項目５に記載の方法。
（項目８）
前記提供されたメディアコンテンツは、前記第３の設定に基づいて標的化される標的化広告である、項目７に記載の方法。
（項目９）
前記第１のユーザがもはや前記第１の検出領域内にいないことを決定することと、
前記第３の設定が該第１の検出可能範囲内の検出領域内に残るユーザに関連付けられた設定のみに基づくように、該第３の設定を修正することと
をさらに含む、項目７に記載の方法。
（項目１０）
前記修正された第３の設定に基づいて、第３のメディアコンテンツを提供することをさらに含む、項目９に記載の方法。
（項目１１）
前記第３のメディアコンテンツのプロパティは、前記第１のユーザに関連付けられた前記第１の設定とコンフリクトする、項目１０に記載の方法。
（項目１２）
前記第１のユーザが前記メディアデバイスの前記第１の検出領域内に戻ったことを決定することと、
該第１のユーザが戻ったことの決定に応じて、前記第３のメディアコンテンツを再び前記第２のメディアコンテンツに変更することと、
実質的に該第１のユーザがもはや該第１の検出領域内にいないことが決定された、該第２のメディアコンテンツ内のポイントから、該第２のメディアコンテンツを再開することと
をさらに含む、項目１０に記載の方法。
（項目１３）
前記第１のユーザがもはや前記第１の検出領域内にいないことの検出に応じて、前記第２のメディアコンテンツを休止することをさらに含む、項目９に記載の方法。
（項目１４）
前記第１のユーザが前記メディアデバイスの前記第１の検出領域内に戻ったことを決定することと、
該第１のユーザが戻ったことの決定に応じて、前記第２のメディアコンテンツの休止を解除することと
をさらに含む、項目１３に記載の方法。
（項目１５）
前記第１のユーザが前記メディアデバイスの前記第１の検出領域内に戻ったことを決定することと、
前記第２のメディアコンテンツを、実質的に該第１のユーザがもはや該第１の検出領域内にいないことが決定された、該第２のメディアコンテンツ内のポイントに巻き戻すことと
をさらに含む、項目９に記載の方法。
（項目１６）
前記メディアデバイスが第１のメディアデバイスである、項目９に記載の方法であって、該方法は、
前記第１のユーザが第２の検出領域内にいることを決定することであって、該第２の検出領域は、第２のメディアデバイスに関する第２の検出可能範囲内にある、ことと、
実質的に該第１のユーザがもはや前記第１の検出領域内にいないことが決定された、前記第２のメディアコンテンツ内のポイントから、該第２のメディアデバイスに該第２のメディアコンテンツを提供することと
をさらに含む、方法。
（項目１７）
前記第１のメディアデバイスに、前記第１のユーザが前記第２の検出領域内にいることを伝達することをさらに含む、項目１６に記載の方法。
（項目１８）
以前に前記第１の検出可能範囲内の検出領域内にいた全てのユーザが、もはや該第１の検出可能範囲内の該検出領域内にいないことを決定することと、
所定期間後に前記メディアデバイスを停止することと
をさらに含む、項目７に記載の方法。
（項目１９）
前記第１のユーザが前記第１の検出可能範囲および前記第１の検出領域内にいるか否かを決定することは、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、項目１に記載の方法。
（項目２０）
前記第１の検出領域は、承認ユーザによって手動で構成される、項目１に記載の方法。
（項目２１）
前記第１の検出可能範囲が異なるメディアデバイスに関する第２の検出可能範囲と重複するか否かを決定すること、および
境界が前記第２の検出可能範囲内にないように、前記第１の検出可能範囲内の前記第１の検出領域の境界を設定すること
によって、前記第１の検出領域の境界を構成することをさらに含む、項目１に記載の方法。
（項目２２）
第２のユーザに関連付けられた第２の検出領域を記憶することであって、前記第２の検出領域は、前記第１の検出可能範囲内にある、ことと、
前記第２のユーザが前記第１の検出可能範囲および前記第２の検出領域の両方の内部にあるか否かを決定することと、
前記第２のユーザが前記第２の検出領域内にある場合、前記第２のユーザに関連付けられた第２の設定を、前記メディアデバイスに適用することと
を含む、項目１に記載の方法。
（項目２３）
前記第１の検出領域は、前記第２の検出領域とは異なる、項目２２に記載の方法。
（項目２４）
メディアデバイスの検出可能範囲内のユーザを検出するシステムであって、該システムは、該メディアデバイスを備え、該メディアデバイスは、
検出回路であって、該検出回路は、
該メディアデバイスに関する第１の検出可能範囲内のユーザを検出することと、
第１のユーザに関連付けられた第１の検出領域を画定することであって、該第１の検出領域は、該第１の検出可能範囲内にあり、該第１の検出領域は、該第１の検出可能範囲よりも小さい、ことと、
該第１のユーザが該第１の検出可能範囲および該第１の検出領域内にいるか否かを決定することと
を行うように構成される、検出回路と、
該第１の検出領域のパラメータを記憶するように構成される記憶回路と、
処理回路であって、
該第１のユーザが該第１の検出領域内にいることを決定した後に、該メディアデバイスを起動することと、
該第１のユーザが該第１の検出領域内にいる場合に、該第１のユーザに関連付けられた第１の設定を該メディアデバイスに適用することと、
該第１の設定に基づいて第１のメディアコンテンツを提供することと、
該第１のユーザが該第１の検出領域外および該第１の検出可能範囲内にいる場合に、該メディアデバイスへの該第１の設定の適用を停止することと
を行うように構成される、処理回路と
を備える、システム。
（項目２５）
前記処理回路は、前記第１のユーザが第１の検出領域外にいる場合に、前記第１のメディアコンテンツの提供を停止するようにさらに構成される、項目２４に記載のシステム。
（項目２６）
前記検出回路は、
前記第１の検出可能範囲内の第２のユーザを検出することと、
該第２のユーザが前記第１の検出領域内にいないことを決定することと
を行うようにさらに構成され、
前記処理回路は、
前記メディアデバイスに提供される前記第１のメディアコンテンツを維持すること
を行うようにさらに構成される、項目２４に記載のシステム。
（項目２７）
前記検出回路は、
第２のユーザが前記第１の検出領域内にいることを決定すること
を行うようにさらに構成され、
前記処理回路は、
該第２のユーザが前記メディアデバイスへアクセスするための十分なアクセスレベルに関連付けられているか否かを決定することと、
該第２のユーザが該メディアデバイスへアクセスするための該十分なアクセスレベルデバイスに適用することと、
該第２のユーザが該メディアデバイスへアクセスするための該十分なアクセスレベルに関連付けられていない場合に、該メディアデバイスへのアクセスを制限することと
を行うようにさらに構成される、項目２４に記載のシステム。
（項目２８）
前記検出回路は、
前記第１の検出領域内の第２のユーザを検出すること
を行うようにさらに構成され、
前記処理回路は、
前記第２のユーザが該第１の検出領域内にいる場合に、該第２のユーザに関連付けられた第２の設定を前記メディアデバイスに適用すること
を行うようにさらに構成される、項目２４に記載のシステム。
（項目２９）
前記処理回路は、
以前に前記第２のユーザによってアクセスされた第２のメディアコンテンツを再開するオプションを提供すること
を行うようにさらに構成される、項目２８に記載のシステム。
（項目３０）
前記処理回路は、
前記第１のユーザと前記第２のユーザとが同時に前記第１の検出領域内にいる場合に、前記第１の設定および前記第２の設定に基づいて第３の設定を作成することと、
前記第３の設定に基づいて第２のメディアコンテンツを提供することと
を行うようにさらに構成される、項目２８に記載のシステム。
（項目３１）
前記提供された第２のメディアコンテンツは、前記第３の設定に基づいて標的化される標的化広告である、項目３０に記載のシステム。
（項目３２）
前記検出回路は、
前記第１のユーザがもはや前記第１の検出領域内にいないことを決定すること
を行うようにさらに構成され、
前記処理回路は、
前記第３の設定が前記第１の検出可能範囲内の検出領域内に残るユーザに関連付けられた設定のみに基づくように、該第３の設定を修正すること
を行うようにさらに構成される、項目３０に記載のシステム。
（項目３３）
前記処理回路は、
前記修正された第３の設定に基づいて、第３のメディアコンテンツを提供すること
を行うようにさらに構成される、項目３２に記載のシステム。
（項目３４）
前記第３のメディアコンテンツのプロパティは、前記第１のユーザに関連付けられた前記第１の設定とコンフリクトする、項目３３に記載のシステム。
（項目３５）
前記検出回路は、
前記第１のユーザが前記メディアデバイスの前記第１の検出領域内に戻ったことを決定すること
を行うようにさらに構成され、
前記処理回路は、
該第１のユーザが戻ったことの決定に応じて、前記第３のメディアコンテンツを再び前記第２のメディアコンテンツに変更することと、
実質的に該第１のユーザがもはや該第１の検出領域内にいないことが決定された、該第２のメディアコンテンツ内のポイントから、該第２のメディアコンテンツを再開すること
を行うようにさらに構成される、項目３３に記載のシステム。
（項目３６）
前記処理回路は、
前記第１のユーザがもはや前記第１の検出領域内にいないことの検出に応じて、前記第２のメディアコンテンツを休止すること
を行うようにさらに構成される、項目３２に記載のシステム。
（項目３７）
前記検出回路は、
前記第１のユーザが前記メディアデバイスの前記第１の検出領域内に戻ったことを決定すること
を行うようにさらに構成され、
前記処理回路は、
該第１のユーザが戻ったことの決定に応じて、前記第２のメディアコンテンツの休止を解除すること
を行うようにさらに構成される、項目３６に記載のシステム。
（項目３８）
前記検出回路は、
前記第１のユーザが前記メディアデバイスの前記第１の検出領域内に戻ったことを決定すること
を行うようにさらに構成され、
前記処理回路は、
前記第２のメディアコンテンツを、実質的に該第１のユーザがもはや該第１の検出領域内にいないことが決定された、該第２のメディアコンテンツ内のポイントに巻き戻すこと
を行うようにさらに構成される、項目３２に記載のシステム。
（項目３９）
前記メディアデバイスは第１のメディアデバイスであり、前記システムは、第２のメディアデバイスを備え、該第２のメディアデバイスは、
検出回路であって、
前記第１のユーザが第２の検出領域内にいることを決定することを行うように構成され、該第２の検出領域は、第２のメディアデバイスに関する第２の検出可能範囲内にある検出回路と、
処理回路であって、
実質的に該第１のユーザがもはや前記第１の検出領域内にいないことが決定された、該第２のメディアコンテンツ内のポイントから、該第２のメディアデバイスに該第２のメディアコンテンツを提供するように構成される処理回路と、
を備える、項目３２に記載のシステム。
（項目４０）
前記第２のメディアデバイスの前記処理回路は、
前記第１のメディアデバイスに、前記第１のユーザが前記第２の検出領域内にいることを伝達すること
を行うようにさらに構成される、項目３９に記載のシステム。
（項目４１）
前記第１のメディアデバイスの前記検出回路は、
以前に前記第１の検出可能範囲内の検出領域内にいた全てのユーザが、もはや該第１の検出可能範囲内の該検出領域内にいないことを決定すること
を行うようにさらに構成され、
該第１のメディアデバイスの前記処理回路は、
所定期間後に前記メディアデバイスを停止すること
を行うようにさらに構成される、項目３０に記載のシステム。
（項目４２）
前記第１のユーザが前記第１の検出可能範囲および前記第１の検出領域内にいるか否かを決定することは、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、項目２４に記載のシステム。
（項目４３）
前記第１の検出領域は、承認ユーザによって手動で構成される、項目２４に記載のシステム。
（項目４４）
前記検出回路は、
前記第１の検出可能範囲が異なるメディアデバイスに関する第２の検出可能範囲と重複するか否かを決定することと、
境界が前記第２の検出可能範囲内にないように、該第１の検出可能範囲内の前記第１の検出領域の境界を設定することと
によって、該第１の検出領域の境界を構成すること
を行うようにさらに構成される、項目２４に記載のシステム。
（項目４５）
前記記憶回路は、
第２のユーザに関連付けられた第２の検出領域を記憶すること
を行うようにさらに構成され、該第２の検出領域は、前記第１の検出可能範囲内にあり、
前記検出回路は、
該第２のユーザが該第１の検出可能範囲および該第２の検出領域の両方の内部にあるか否かを決定すること
を行うようにさらに構成され、
前記処理回路は、
該第２のユーザが該第２の検出領域内にある場合に、該第２のユーザに関連付けられた第２の設定を、前記メディアデバイスに適用すること
を行うように構成される、項目２４に記載のシステム。
（項目４６）
前記第１の検出領域は、前記第２の検出領域とは異なる、項目４５に記載のシステム。
（項目４７）
メディアデバイスの検出可能範囲内のユーザを検出する装置であって、
検出メカニズムを有する該メディアデバイスを提供する手段であって、該検出メカニズムは、該メディアデバイスに関する第１の検出可能範囲内のユーザを検出するように動作可能である、手段と、
第１のユーザに関連付けられた第１の検出領域を画定する手段であって、該第１の検出領域は、該第１の検出可能範囲内にあり、該第１の検出領域は、該第１の検出可能範囲よりも小さい、手段と、
該第１の検出領域のパラメータを格納する手段と、
該第１のユーザが該第１の検出可能範囲および該第１の検出領域内にいるか否かを決定する手段と、
該第１のユーザが該第１の検出領域内にいることを決定した後に、該メディアデバイスを起動する手段と、
該第１のユーザが該第１の検出領域内にいる場合に、該第１のユーザに関連付けられた第１の設定を、該メディアデバイスに適用する手段と、
該第１の設定に基づいて、第１のメディアコンテンツを提供する手段と、
該第１のユーザが該第１の検出領域外および該第１の検出可能範囲内にいる場合に、該メディアデバイスへの該第１の設定の適用を停止する手段と
を備える、装置。
（項目４８）
前記第１のユーザが前記第１の検出領域外にいる場合、前記第１のメディアコンテンツの提供を停止する手段をさらに備える、項目４７に記載の装置。
（項目４９）
前記第１の検出可能範囲内の第２のユーザを検出する手段と、
該第２のユーザが前記第１の検出領域内にいないことを決定する手段と、
前記メディアデバイスに提供される前記第１のメディアコンテンツを維持する手段と
をさらに備える、項目４７に記載の装置。
（項目５０）
第２のユーザが前記第１の検出領域内にいることを決定する手段と、
該第２のユーザが前記メディアデバイスへアクセスするための十分なアクセスレベルに関連付けられているか否かを決定する手段と、
該第２のユーザが該メディアデバイスへアクセスするための該十分なアクセスレベルに関連付けられている場合に、該第２のユーザに関連付けられた第２の設定を該メディアデバイスに適用する手段と、
該第２のユーザが該メディアデバイスへアクセスするための該十分なアクセスレベルに関連付けられていない場合に、該メディアデバイスへのアクセスを制限する手段と
をさらに備える、項目４７に記載の装置。
（項目５１）
前記第１の検出領域内の第２のユーザを検出する手段と、
前記第２のユーザが該第１の検出領域内にいる場合に、該第２のユーザに関連付けられた第２の設定を前記メディアデバイスに適用する手段と
をさらに備える、項目４７に記載の装置。
（項目５２）
以前に前記第２のユーザによってアクセスされた第２のメディアコンテンツを再開するオプションを提供する手段をさらに備える、項目５１に記載の装置。
（項目５３）
前記第１のユーザと前記第２のユーザとが同時に前記第１の検出領域内にいる場合に、前記第１の設定および前記第２の設定に基づいて第３の設定を作成する手段と、
該第３の設定に基づいて第２のメディアコンテンツを提供する手段と
をさらに備える、項目５１に記載の装置。
（項目５４）
前記提供された第２のメディアコンテンツは、前記第３の設定に基づいて標的化される標的化広告である、項目５３に記載の装置。
（項目５５）
前記第１のユーザがもはや前記第１の検出領域内にいないことを決定する手段と、
前記第３の設定が、該第１の検出可能範囲内の検出領域内に残るユーザに関連付けられた設定のみに基づくように、該第３の設定を修正する手段と
をさらに備える、項目５３に記載の装置。
（項目５６）
前記修正された第３の設定に基づいて、第３のメディアコンテンツを提供する手段をさらに備える、項目５５に記載の装置。
（項目５７）
前記第３のメディアコンテンツのプロパティは、前記第１のユーザに関連付けられた前記第１の設定とコンフリクトする、項目５６に記載の装置。
（項目５８）
前記第１のユーザが前記メディアデバイスの前記第１の検出領域内に戻ったことを決定する手段と、
該第１のユーザが戻ったことの決定に応じて、前記第３のメディアコンテンツを再び前記第２のメディアコンテンツに変更する手段と、
実質的に該第１のユーザがもはや該第１の検出領域内にいないことが決定された、前記第２のメディアコンテンツ内のポイントから、該第２のメディアコンテンツを再開する手段と
をさらに備える、項目５６に記載の装置。
（項目５９）
前記第１のユーザがもはや前記第１の検出領域内にいないことの検出に応じて、前記第２のメディアコンテンツを休止する手段をさらに備える、項目５５に記載の装置。
（項目６０）
前記第１のユーザが前記メディアデバイスの前記第１の検出領域内に戻ったことを決定する手段と、
該第１のユーザが戻ったことの決定に応じて、前記第２のメディアコンテンツの休止を解除する手段と
をさらに備える、項目５９に記載の装置。
（項目６１）
前記第１のユーザが前記メディアデバイスの前記第１の検出領域内に戻ったことを決定する手段と、
前記第２のメディアコンテンツを、実質的に該第１のユーザがもはや該第１の検出領域内にいないことが決定された、該第２のメディアコンテンツ内のポイントに巻き戻す手段と
をさらに備える、項目５５に記載の装置。
（項目６２）
前記メディアデバイスは、第１のメディアデバイスであり、前記装置は、
第１のユーザが第２の検出領域内にいることを決定する手段であって、該第２の検出領域は、第２のメディアデバイスに対して第２の検出可能範囲内にある、手段と、
実質的に該第１のユーザがもはや前記第１の検出領域内にいないことが決定された、該第２のメディアコンテンツ内のポイントから、該第２のメディアデバイスに該第２のメディアコンテンツを提供する手段と
をさらに備える、項目５５に記載の装置。
（項目６３）
前記第１のメディアデバイスに、前記第１のユーザが前記第２の検出領域内にいることを伝達する手段をさらに含む、項目６２に記載の装置。
（項目６４）
以前に前記第１の検出可能範囲内の検出領域内にいた全てのユーザが、もはや該第１の検出可能範囲内の該検出領域内にいないことを決定する手段と、
所定期間後に前記メディアデバイスを停止する手段と
をさらに備える、項目５３に記載の装置。
（項目６５）
前記第１のユーザが前記第１の検出可能範囲および前記第１の検出領域内にいるか否かを決定する手段は、
該第１のユーザの熱痕跡を検出すること、
該第１のユーザが閲覧範囲内にいるか否かを決定すること、
該第１のユーザが可聴範囲内にいるか否かを決定すること、
該第１の検出領域内の該第１のユーザに関連付けられたモバイルデバイスを検出すること、
該第１のユーザの声紋を検出すること、および
該第１のユーザの動きを検出すること
のうちの少なくとも１つを含む、項目４７に記載の装置。
（項目６６）
前記第１の検出領域は、承認ユーザによって手動で構成される、項目４７に記載の装置。
（項目６７）
前記第１の検出可能範囲が異なるメディアデバイスに関する第２の検出可能範囲と重複するか否かを決定することと、
境界が該第２の検出可能範囲内にないように、該第１の検出可能範囲内の前記第１の検出領域の境界を設定することと
によって、該第１の検出領域の境界を構成する手段をさらに含む、項目４７に記載の装置。
（項目６８）
第２のユーザに関連付けられた第２の検出領域を記憶する手段であって、前記第２の検出領域は前記第１の検出可能範囲内にある、手段と、
該第２のユーザが該第１の検出可能範囲および該第２の検出領域の両方の内部にあるか否かを決定する手段と、
該第２のユーザが該第２の検出領域内にある場合に、該第２のユーザに関連付けられた第２の設定を前記メディアデバイスに適用する手段と
をさらに備える、項目４７に記載の装置。
（項目６９）
前記第１の検出領域は、前記第２の検出領域とは異なる、項目６８に記載の装置。
（項目７０）
メディアコンテンツのプロパティが、ユーザに関連付けられた設定とコンフリクトする場合に、メディアデバイスに提供される該メディアコンテンツを自動的に変更する方法であって、
検出メカニズムを有する該メディアデバイスを提供することであって、該検出メカニズムは、該メディアデバイスに関する第１の検出可能範囲内のユーザを検出するように動作可能である、ことと、
該メディアデバイスに関連付けられた第１の検出領域を設定することであって、該第１の検出領域は該第１の検出可能範囲内にある、ことと、
該第１の検出領域内の第１のユーザを検出することと、
該第１のユーザが該第１の検出領域内にいる場合に、該第１のユーザに第１のメディアコンテンツを提供することであって、該第１のメディアコンテンツのプロパティは、該第１のユーザに関連付けられた第１の設定とコンフリクトしない、ことと、
該第１の検出可能範囲内の第２のユーザを検出することと、
該第２のユーザが該第１の検出可能範囲内にいる場合に、該第２のユーザに関連付けられた第２の設定を該第１のメディアコンテンツの該プロパティと比較することと、
該第２の設定が該第１のメディアコンテンツの該プロパティとコンフリクトする場合に、該第１のメディアコンテンツを変更することと、
該第２の設定が該第１のメディアコンテンツの該プロパティとコンフリクトしない場合に、および該第２のユーザが該第１の検出領域内にいる場合に、該第２のユーザを該メディアデバイスのアクティブユーザの一覧に追加することと
を含む、方法。
（項目７１）
前記第１の検出可能範囲から出た前記第２のユーザを検出することと、
実質的に前記第１のメディアコンテンツが変更された、前記第１のメディアコンテンツ内のポイントから、該第１のメディアコンテンツの提供を再開することと
をさらに含む、項目７０に記載の方法。
（項目７２）
前記第１のメディアコンテンツを変更することは、
前記第１の設定および前記第２の設定とコンフリクトしない第２のメディアコンテンツを検索することと、
該第１のメディアコンテンツの代わりに該第２のメディアコンテンツを提供することと
を含む、項目７０に記載の方法。
（項目７３）
前記第１のメディアコンテンツが変更されるときに、該第１のメディアコンテンツを記録することをさらに含む、項目７０に記載の方法。
（項目７４）
前記第１のメディアコンテンツを変更することは、前記メディアデバイスを停止することを含む、項目７０に記載の方法。
（項目７５）
前記第１のメディアコンテンツを変更することは、該第１のメディアコンテンツを実質的に隠す双方向ウィンドウを提供することを含む、項目７０に記載の方法。
（項目７６）
前記第１のメディアコンテンツは、前記第２のユーザが前記メディアデバイス上の適切なグループに関連付けられている場合にのみ変更される、項目７０に記載の方法。
（項目７７）
前記第１のメディアコンテンツを変更することは、該第１のメディアコンテンツが前記第２のユーザから実質的に隠されるように、前記メディアデバイスのディスプレイを暗くすることを含む、項目７０に記載の方法。
（項目７８）
前記ディスプレイは、前記第２のユーザと前記メディアデバイスとの間の距離に比例して暗くされる、項目７７に記載の方法。
（項目７９）
前記第１のメディアコンテンツを変更することは、
該第１のメディアコンテンツが実質的に前記第２のユーザに聞き取れないように、該第１のメディアコンテンツの音量を低下させることを含む、項目７０に記載の方法。
（項目８０）
前記音量は、前記第２のユーザと前記メディアデバイスとの間の距離に比例して低下される、項目７９に記載の方法。
（項目８１）
メディアコンテンツのプロパティが、ユーザに関連付けられた設定とコンフリクトする場合に、メディアデバイスに提供される該メディアコンテンツを自動的に変更するシステムであって、該システムは、メディアデバイスを備え、該メディアデバイスは、
検出回路であって、
該メディアデバイスに関連付けられた第１の検出領域を設定することであって、該第１の検出領域は第１の検出可能範囲内にある、ことと、
該メディアデバイスに関する該第１の検出領域内の第１のユーザを検出することと、
該第１の検出可能範囲内の第２のユーザを検出することと
を行うように構成される、検出回路と、
処理回路であって、
該第１のユーザが該第１の検出領域内にいる場合に、該第１のユーザに第１のメディアコンテンツを提供することであって、該第１のメディアコンテンツのプロパティは、該第１のユーザに関連付けられた第１の設定とコンフリクトしない、ことと、
該第２のユーザが該第１の検出可能範囲内にいる場合に、該第２のユーザに関連付けられた第２の設定を該第１のメディアコンテンツの該プロパティと比較することと、
該第２の設定が該第１のメディアコンテンツの該プロパティとコンフリクトする場合に、該第１のメディアコンテンツを変更することと、
該第２の設定が該第１のメディアコンテンツの該プロパティとコンフリクトしない場合に、および該第２のユーザが該第１の検出領域内にいる場合に、該第２のユーザを該メディアデバイスのアクティブユーザの一覧に追加することと
を行うように構成される、処理回路と
を備える、システム。
（項目８２）
検出回路は、
前記第１の検出可能範囲から出た前記第２のユーザを検出すること
を行うようにさらに構成され、
前記処理回路は、
実質的に前記第１のメディアコンテンツが変更された、該第１のメディアコンテンツ内のポイントから、該第１のメディアコンテンツの提供を再開すること
を行うようにさらに構成される、項目８１に記載のシステム。
（項目８３）
前記処理回路は、
前記第１のメディアコンテンツを変更するときに、前記第１の設定および前記第２の設定とコンフリクトしない第２のメディアコンテンツを検索することと、
該第１のメディアコンテンツの代わりに該第２のメディアコンテンツを提供すること
を行うようにさらに構成される、項目８１に記載のシステム。
（項目８４）
前記処理回路は、
前記第１のメディアコンテンツが変更されるときに、該第１のメディアコンテンツを記録すること
を行うようにさらに構成される、項目８１に記載のシステム。
（項目８５）
前記第１のメディアコンテンツを変更することは、前記メディアデバイスを停止することを含む、項目８１に記載のシステム。
（項目８６）
前記第１のメディアコンテンツを変更することは、
該第１のメディアコンテンツを実質的に隠す双方向ウィンドウを提供することを含む、項目８１に記載のシステム。
（項目８７）
前記第１のメディアコンテンツは、前記第２のユーザが前記メディアデバイス上の適切なグループに関連付けられている場合にのみ変更される、項目８１に記載のシステム。
（項目８８）
前記第１のメディアコンテンツを変更することは、
該第１のメディアコンテンツが前記第２のユーザから実質的に隠されるように、前記メディアデバイスのディスプレイを暗くすることを含む、項目８１に記載のシステム。
（項目８９）
前記ディスプレイは、前記第２のユーザと前記メディアデバイスとの間の距離に比例して暗くされる、項目８８に記載のシステム。
（項目９０）
前記第１のメディアコンテンツを変更することは、
該第１のメディアコンテンツが実質的に前記第２のユーザに聞き取れないように、該第１のメディアコンテンツの音量を低下させることを含む、項目８１に記載のシステム。
（項目９１）
前記音量は、前記第２のユーザと前記メディアデバイスとの間の距離に比例して低下される、項目９０に記載のシステム。
（項目９２）
メディアコンテンツのプロパティが、ユーザに関連付けられた設定とコンフリクトする場合に、メディアデバイスに提供される該メディアコンテンツを自動的に変更する装置であって、該装置は、
検出メカニズムを有する該メディアデバイスを提供する手段であって、該検出メカニズムは、該メディアデバイスに関する第１の検出可能範囲内のユーザを検出するように動作可能である、手段と、
該メディアデバイスに関連付けられた第１の検出領域を設定する手段であって、該第１の検出領域は該第１の検出可能範囲内にある、手段と、
該第１の検出領域内の第１のユーザを検出する手段と、
該第１のユーザが該第１の検出領域内にいる場合に、該第１のユーザに第１のメディアコンテンツを提供する手段であって、該第１のメディアコンテンツのプロパティは、該第１のユーザに関連付けられた第１の設定とコンフリクトしない、手段と、
該第１の検出可能範囲内の第２のユーザを検出する手段と、
該第２のユーザが該第１の検出可能範囲内にいる場合に、該第２のユーザに関連付けられた第２の設定を該第１のメディアコンテンツの該プロパティと比較する手段と、
該第２の設定が該第１のメディアコンテンツの該プロパティとコンフリクトする場合に、該第１のメディアコンテンツを変更する手段と、
該第２の設定が該第１のメディアコンテンツの該プロパティとコンフリクトしない場合に、および該第２のユーザが該第１の検出領域内にいる場合に、該第２のユーザを該メディアデバイスのアクティブユーザの一覧に追加する手段と
を備える、装置。
（項目９３）
前記第１の検出可能範囲から出た前記第２のユーザを検出する手段と、
実質的に前記第１のメディアコンテンツが変更された、該第１のメディアコンテンツ内のポイントから、該第１のメディアコンテンツの提供を再開する手段と
をさらに備える、項目９２に記載の装置。
（項目９４）
前記第１のメディアコンテンツを変更することは、
前記第１の設定および前記第２の設定とコンフリクトしない第２のメディアコンテンツを検索することと、
該第１のメディアコンテンツの代わりに該第２のメディアコンテンツを提供することと
を含む、項目９２に記載の装置。
（項目９５）
前記第１のメディアコンテンツが変更されるときに、該第１のメディアコンテンツを記録する手段をさらに備える、項目９２に記載の装置。
（項目９６）
前記第１のメディアコンテンツを変更することは、前記メディアデバイスを停止することを含む、項目９２に記載の装置。
（項目９７）
前記第１のメディアコンテンツを変更することは、該第１のメディアコンテンツを実質的に隠す双方向ウィンドウを提供することを含む、項目９２に記載の装置。
（項目９８）
前記第１のメディアコンテンツは、前記第２のユーザが前記メディアデバイス上の適切なグループに関連付けられている場合にのみ変更される、項目９２に記載の装置。
（項目９９）
前記第１のメディアコンテンツを変更することは、
該第１のメディアコンテンツが前記第２のユーザから実質的に隠されるように、前記メディアデバイスのディスプレイを暗くすることを含む、項目９２に記載の装置。
（項目１００）
前記ディスプレイは、前記第２のユーザと前記メディアデバイスとの間の距離に比例して暗くされる、項目９９に記載の装置。
（項目１０１）
前記第１のメディアコンテンツを変更することは、該第１のメディアコンテンツが実質的に前記第２のユーザに聞き取れないように、該第１のメディアコンテンツの音量を低下させることを含む、項目９２に記載の装置。
（項目１０２）
前記音量は、前記第２のユーザと前記メディアデバイスとの間の距離に比例して低下される、項目１０１に記載の装置。
（項目１０３）
メディアデバイスの検出可能範囲内のユーザにリマインダを提供する方法であって、
検出メカニズムを用いて、該メディアデバイスに関連付けられた検出領域内の複数のユーザを検出することと、
該複数のユーザを該メディアデバイスにログインさせることと、
該メディアデバイスに第１のメディアコンテンツを提供することと、
第２のメディアコンテンツに関して、該メディアデバイスにリマインダを提供することであって、該リマインダは、該複数の検出されたユーザの第１のユーザおよび第２のユーザに関連付けられている、ことと
を含む、方法。
（項目１０４）
前記第２のメディアコンテンツのプロパティを前記複数のユーザに関連付けられた選好と比較することと、
該複数のユーザの各々が該第２のメディアコンテンツを楽しむ確率を決定することと
をさらに含む、項目１０３に記載の方法。
（項目１０５）
前記複数のユーザのうちの少なくとも１人が、前記第２のメディアコンテンツを楽しまない十分な確率があることが決定された場合に、該複数のユーザのうちの少なくとも１人が該第２のメディアコンテンツを楽しまないことの標示を提供することをさらに含む、項目１０４に記載の方法。
（項目１０６）
前記複数のユーザのうちの少なくとも１人が、前記第２のメディアコンテンツを楽しむ十分な確率があることが決定された場合、該複数のユーザのうちの少なくとも１人が該第２のメディアコンテンツを楽しむことの標示を提供することをさらに含む、項目１０４に記載の方法。
（項目１０７）
前記第２のメディアコンテンツのプロパティを、前記複数のユーザに関連付けられた選好と比較することと、
該第２のメディアコンテンツのプロパティが該複数のユーザに関連付けられた該選好とコンフリクトしない場合にのみ、前記リマインダを提供することと
をさらに含む、項目１０３に記載の方法。
（項目１０８）
前記第１のユーザおよび前記第２のユーザのうちの少なくとも１人に関連付けられた異なるメディアデバイス上の前記第２のメディアコンテンツにアクセスするオプションを提供することをさらに含む、項目１０３に記載の方法。
（項目１０９）
前記異なるメディアデバイスは、携帯電話である、項目１０８に記載の方法。
（項目１１０）
異なるメディアデバイス上の前記第２のメディアコンテンツにアクセスするオプションを提供することをさらに含み、前記複数のユーザのうちの少なくとも１人は、該異なるメディアデバイスに関する検出可能範囲内で検出されるが、該異なるメディアデバイスに関連付けられた異なる検出領域外にいる、項目１０３に記載の方法。
（項目１１１）
前記リマインダは、前記第１のユーザおよび前記第２のユーザが適切なグループに関連付けられている場合にのみ提供される、項目１０３に記載の方法。
（項目１１２）
前記リマインダは、前記第１のユーザおよび前記第２のユーザの少なくとも１人によって事前に設定されている、項目１０３に記載の方法。
（項目１１３）
前記リマインダは、前記第１のユーザおよび前記第２のユーザのうちの少なくとも１人が、前記第２のメディアコンテンツに関心がある確率の決定後に、サービスプロバイダによって自動的に設定される、項目１０３に記載の方法。
（項目１１４）
メディアデバイスの範囲内のユーザにリマインダを提供するシステムであって、該システムは、メディアデバイスを備え、該メディアデバイスは、
検出回路であって、
メディアデバイスに関連付けられた検出領域内の複数のユーザを検出すること
を行うように構成される検出回路と、
処理回路であって、
該複数のユーザを該メディアデバイスにログインさせることと、
該メディアデバイスに第１のメディアコンテンツを提供することと、
第２のメディアコンテンツに関して、該メディアデバイスにリマインダを提供することと
を行うように構成され、該リマインダは、該複数の検出されたユーザの第１のユーザおよび第２のユーザに関連付けられる、処理回路と
を備える、システム。
（項目１１５）
前記処理回路は、
前記第２のメディアコンテンツのプロパティを前記複数のユーザに関連付けられた選好と比較することと、
該複数のユーザの各々が該第２のメディアコンテンツを楽しむ確率を決定することと
を行うようにさらに構成される、項目１１４に記載のシステム。
（項目１１６）
前記処理回路は、
前記複数のユーザのうちの少なくとも１人が前記第２のメディアコンテンツを楽しまない十分な確率があることが決定された場合に、該複数のユーザのうちの少なくとも１人が該第２のメディアコンテンツを楽しまないことの標示を提供するようにさらに構成される、項目１１５に記載のシステム。
（項目１１７）
前記処理回路は、
前記複数のユーザのうちの少なくとも１人が前記第２のメディアコンテンツを楽しむ十分な確率があることが決定された場合に、該複数のユーザのうちの少なくとも１人が該第２のメディアコンテンツを楽しむことの標示を提供するようにさらに構成される、項目１１５に記載のシステム。
（項目１１８）
前記処理回路は、
前記第２のメディアコンテンツのプロパティを前記複数のユーザに関連付けられた選好と比較することと、
該第２のメディアコンテンツの該プロパティが、該複数のユーザに関連付けられた該選好とコンフリクトしない場合にのみ、前記リマインダを提供することと
を行うようにさらに構成される、項目１１４に記載のシステム。
（項目１１９）
前記処理回路は、
前記第１のユーザおよび前記第２のユーザのうちの少なくとも１人に関連付けられた異なるメディアデバイス上の前記第２のメディアコンテンツにアクセスするオプションを提供するようにさらに構成される、項目１１４に記載のシステム。
（項目１２０）
前記異なるメディアデバイスは、携帯電話である、項目１１９に記載のシステム。
（項目１２１）
前記メディアデバイスが、第１のメディアデバイスであり、該メディアデバイスが、第２のメディアデバイスを備え、該第２のメディアデバイスは、
検出回路であって、
該第２のメディアデバイスに関する第２の検出可能範囲内の複数のユーザを検出することと、
該第２のメディアデバイスに関連付けられた第２の検出領域内の複数のユーザを検出することと
を行うように構成される検出回路を備え、
前記第１のメディアデバイスの前記処理回路は、
該複数のユーザのうちの少なくとも１人が、第２の検出可能範囲内で検出されるが、該第２の検出領域外にいる場合に、該第２のメディアデバイス上の第２のメディアコンテンツにアクセスするオプションを提供すること
を行うようにさらに構成される、項目１１４に記載のシステム。
（項目１２２）
前記リマインダは、前記第１のユーザおよび前記第２のユーザが適切なグループに関連付けられている場合にのみ提供される、項目１１４に記載のシステム。
（項目１２３）
前記リマインダは、前記第１のユーザおよび前記第２のユーザのうちの少なくとも１人によって事前に設定されている、項目１１４に記載のシステム。
（項目１２４）
前記リマインダは、前記第１のユーザおよび前記第２のユーザのうちの少なくとも１人が前記第２のメディアコンテンツに関心がある確率の決定後に、サービスプロバイダによって自動的に設定される、項目１１４に記載のシステム。
（項目１２５）
メディアデバイスの検出可能範囲内のユーザにリマインダを提供する装置であって、
検出メカニズムを用いて、該メディアデバイスに関連付けられた検出領域内の複数のユーザを検出する手段と、
該複数のユーザを該メディアデバイスにログインさせる手段と、
該メディアデバイスに第１のメディアコンテンツを提供する手段と、
第２のメディアコンテンツに関して、該メディアデバイスにリマインダを提供する手段であって、該リマインダは、該複数の検出されたユーザの第１のユーザおよび第２のユーザに関連付けられる、手段と
を備える、装置。
（項目１２６）
前記第２のメディアコンテンツのプロパティを前記複数のユーザに関連付けられた選好と比較する手段と、
該複数のユーザの各々が該第２のメディアコンテンツを楽しむ確率を決定する手段と
をさらに備える、項目１２５に記載の装置。
（項目１２７）
前記複数のユーザのうちの少なくとも１人が前記第２のメディアコンテンツを楽しまない十分な確率があることが決定された場合に、該複数のユーザのうちの少なくとも１人が該第２のメディアコンテンツを楽しまないことの標示を提供する手段をさらに備える、項目１２６に記載の装置。
（項目１２８）
前記複数のユーザのうちの少なくとも１人が前記第２のメディアコンテンツを楽しむ十分な確率があることが決定された場合に、該複数のユーザのうちの少なくとも１人が該第２のメディアコンテンツを楽しむことの標示を提供する手段をさらに備える、項目１２６に記載の装置。
（項目１２９）
前記第２のメディアコンテンツのプロパティを前記複数のユーザに関連付けられた選好と比較する手段と、
該第２のメディアコンテンツの該プロパティが該複数のユーザに関連付けられた該選好とコンフリクトしない場合にのみ、前記リマインダを提供する手段と
をさらに備える、項目１２５に記載の装置。
（項目１３０）
前記第１のユーザおよび前記第２のユーザのうちの少なくとも１人に関連付けられた異なるメディアデバイス上の前記第２のメディアコンテンツにアクセスするオプションを提供する手段をさらに備える、項目１２５に記載の装置。
（項目１３１）
前記異なるメディアデバイスは、携帯電話である、項目１３０に記載の装置。
（項目１３２）
異なるメディアデバイス上の前記第２のメディアコンテンツにアクセスするオプションを提供する手段をさらに備え、前記複数のユーザのうちの少なくとも１人は、異なるメディアデバイスに関する検出可能範囲内で検出されるが、該異なるメディアデバイスに関連付けられた異なる検出領域外にいる、項目１２５に記載の装置。
（項目１３３）
前記リマインダは、前記第１のユーザおよび前記第２のユーザが適切なグループに関連付けられている場合にのみ提供される、項目１２５に記載の装置。
（項目１３４）
前記リマインダは、前記第１のユーザおよび前記第２のユーザのうちの少なくとも１人によって事前に設定されている、項目１２５に記載の装置。
（項目１３５）
前記リマインダは、前記第１のユーザおよび前記第２のユーザのうちの少なくとも１人が前記第２のメディアコンテンツに関心がある確率の決定後に、サービスプロバイダによって自動的に設定される、項目１２５に記載の装置。